(57)【要約】  準静的スケジューリング（ＳＰＳ）において、精度の高いＭＣＳを選択する。制御情報を受信する端末装置であって、Ｃ−ＲＮＴＩ情報を用いて前記制御情報を復号し、該制御情報からＭＣＳインデックスを抽出する制御情報抽出部と、前記ＭＣＳインデックスとＭＣＳテーブルを用いてＭＣＳを判定し、復調を行なうＰＤＳＣＨ復調部とを有し、前記ＰＤＳＣＨ復調部は、前記復号に用いたＣ−ＲＮＴＩ情報に応じて、複数のＭＣＳテーブルから所定のＭＣＳテーブルを選択する。
2015141688.tif 000002
【特許請求の範囲】
【請求項１】
制御情報を受信する端末装置であって、
Ｃ−ＲＮＴＩ情報を用いて前記制御情報を復号し、該制御情報からＭＣＳインデックスを抽出する制御情報抽出部と、
前記ＭＣＳインデックスとＭＣＳテーブルを用いてＭＣＳを判定し、復調を行なうＰＤＳＣＨ復調部とを有し、
前記ＰＤＳＣＨ復調部は、前記復号に用いたＣ−ＲＮＴＩ情報に応じて、複数のＭＣＳテーブルから所定のＭＣＳテーブルを選択することを特徴とする端末装置。
【請求項２】
前記Ｃ−ＲＮＴＩ情報は、リソース割当がダイナミックスケジューリングであるか準静的スケジューリングであるかを示す情報であることを特徴とする請求項１記載の端末装置。
【請求項３】
前記複数のＭＣＳテーブルは、少なくとも変調方式として２５６ＱＡＭを含むＭＣＳテーブルと、変調方式として２５６ＱＡＭを含まないＭＣＳテーブルを含むことを特徴とする請求項１または２記載の端末装置。
【請求項４】
リソース割当としてダイナミックスケジューリングか準静的スケジューリングを選択するスケジューリング部と、
ＭＣＳテーブルのインデックスの中から伝送に用いるＭＣＳインデックスを設定するＭＣＳ設定部とを備える基地局装置であって、
前記ＭＣＳ設定部は、スケジューリング部から入力されるスケジューリングタイプ情報によって、複数のＭＣＳテーブルから所定のＭＣＳテーブルを選択することを特徴とする基地局装置。
【請求項５】
前記スケジューリングタイプ情報は、前記スケジューリング部でのスケジューリングがダイナミックスケジューリングであるか準静的スケジューリングであるかを示す情報であることを特徴とする請求項４記載の基地局装置。
【発明の詳細な説明】
【技術分野】
【０００１】
本発明は、端末装置および基地局装置に関する。
【背景技術】
【０００２】
近年のスマートフォン等の普及により、高速無線伝送の要求が高まっている。標準化団体の１つである３ＧＰＰ（The Third Generation Partnership Project）では、ＬＴＥ（Long Term Evolution）の仕様化を行なっており、現在はＲｅｌ−１１（Release 11）の仕様化がほぼ終了し、Ｒｅｌ−１２の仕様化が行なわれている。【０００３】
Ｒｅｌ−１１までのＬＴＥのダウンリンクでは、変調方式として、ＱＰＳＫ（Quadrature Phase Shift Keying）、１６ＱＡＭ（Quadrature Amplitude Modulation）および６４ＱＡＭがサポートされる。ＱＰＳＫでは１変調シンボルで２ビットを送信可能であり、１６ＱＡＭでは１変調シンボルで４ビットを送信可能であり、６４ＱＡＭでは１変調シンボルで６ビットを送信可能である。つまり、ＱＰＳＫよりも１６ＱＡＭの方が周波数利用効率が高く、さらに１６ＱＡＭよりも６４ＱＡＭの方が周波数利用効率が高い。その一方、１変調シンボル中のビット数が多くなるに従い、ビット誤りが発生しやすくなる。ＬＴＥでは、基地局装置（eNB、evolved Node B）と端末装置（UE、User Equipment）との間のチャネル状態によって、適応的に変調方式が選択される、適応変調と呼ばれる技術が採用されている。なお、ＬＴＥでは変調方式に加えて誤り訂正符号の符号化率も適応的に変更される。例えば、では、基地局装置が送信した参照信号に基づき端末装置がダウンリンクのチャネル状態を推定し、端末装置が推定したチャネル状態に基づき生成したチャネル品質情報（チャネル品質指標）（CQI、Channel Quality indicator）を基地局装置に通知する。この時、端末装置はＣＱＩテーブルと呼ばれる４ビット（16値）のＣＱＩからなるテーブルを所有しており、推定したＣＱＩに最も近いＣＱＩテーブルの値に関連付けられたインデックスを基地局装置に通知する。基地局装置は端末装置と同様のＣＱＩテーブルを有しており、通知されたＣＱＩインデックスから対応するＣＱＩを判断し、判断したＣＱＩを考慮して変調方式および符号化率（MCS、Modulation and Coding scheme）を選択し、選択したＭＣＳを用いてダウンリンクの伝送を行なう。基地局装置は、ＭＣＳテーブルと呼ばれるテーブルを所有しており、ＭＣＳテーブルに含まれるＭＣＳのいずれかを選択し、選択したＭＣＳのインデックスを端末装置に通知するとともに、通知したＭＣＳを用いて生成されたＰＤＳＣＨ（Physical Downlink Shared CHannel）を用いたデータ伝送を行なう。ここで、ＬＴＥにおけるＭＣＳテーブルは、変調方式と符号化率を規定する代わりに、変調方式とＴＢＳ（Transport Block Size）と呼ばれる値を規定している。ＴＢＳと割り当てられた無線リソースから、符号化率が決定されることになる。端末装置は基地局装置と同様のＭＣＳテーブルを有しており、通知されたＭＣＳインデックスから対応するＭＣＳを判断し、判断したＭＣＳを用いてＰＤＳＣＨの復調処理、復号処理を行なう。このようにＬＴＥでは、チャネル状態に応じてＭＣＳが適応的に選択されることにより、高いスループットを実現することができる。【０００４】
また、ＬＴＥのＲｅｌ−１２において、１変調シンボルで８ビットを送信可能な２５６ＱＡＭを導入することが検討されている。Ｒｅｌ−１１のＬＴＥでは、６４ＱＡＭまでを想定したＣＱＩテーブル、ＭＣＳテーブルしか仕様化されていない。したがって、既存の仕様では、基地局装置は、２５６ＱＡＭを想定したＭＣＳの制御情報をＰＤＣＣＨ（Physical Downlink Control CHannel）を用いて端末装置に通知することができない。また、既存の仕様では、端末装置は、２５６ＱＡＭを想定したＣＱＩを基地局装置に通知することができない。そこで、ＬＴＥのＲｅｌ−１２において、２５６ＱＡＭのサポートを想定したＣＱＩテーブルとＭＣＳテーブル（以降、Rel-12CQIテーブルおよびRel-12MCSテーブル）の仕様化が検討されている。【０００５】
Ｒｅｌ−１２の標準化では、Ｒｅｌ−１２で新しく導入されるＣＱＩテーブルおよびＭＣＳテーブル（以降、Rel-12CQIテーブルおよびRel-12MCSテーブル）のインデックスを通知するためのビット数は、Ｒｅｌ−１１までのＣＱＩテーブルおよびＭＣＳテーブル（以降、Rel-8CQIテーブルおよびRel-8MCSテーブル）と同様にそれぞれ４ビットおよび５ビットとすることが合意されている。ここで、新しいＣＱＩテーブルのインデックスを通知するためのビット数を既存のＣＱＩテーブルのビット数から変えることなく、２５６ＱＡＭのサポートを行なうには、新しいＣＱＩテーブルにおいて既存の仕様（例えば、Rel-8）でサポートされているＣＱＩの何れかを含めないようにする必要がある。ここで、新しいＭＣＳテーブルのインデックスを通知するためのビット数を既存のＭＣＳテーブルのインデックスを通知するためのビット数から変えることなく２５６ＱＡＭのサポートを行なうには、新しいＭＣＳテーブルにおいて既存の仕様（例えば、Rel-8）でサポートされているＭＣＳの何れかを含めないようにする必要がある。【０００６】
Ｒｅｌ−１２の標準化における検討では、既存の仕様のＭＣＳテーブルでサポートされているＭＣＳに関して、既存の仕様のＭＣＳテーブルでサポートされている周波数利用効率の低いＭＣＳ（最も周波数利用効率の低いCQIを除く）に関して、いくつかのＣＱＩは新しいＣＱＩテーブルに対してサポートせず、その分の情報量を２５６ＱＡＭをサポートするためのＭＣＳに用いることが検討されている（非特許文献１、非特許文献２）。これにより、急激な伝搬路の変化にある程度追従したデータ伝送を行ないつつ、２５６ＱＡＭによる高いスループットを実現することができる。
【先行技術文献】
【非特許文献】
【０００７】
【非特許文献１】R1-140034, Huawei, HiSilicon, “CQI/MCS table design for 256QAM,” Prague, Czech Republic, Feb. 2014.
【非特許文献１】R1-140555, Nokia, NSN, “On CQI/MCS/TBS table design for 256QAM,”Prague, Czech Republic, Feb. 2014.
【発明の概要】
【発明が解決しようとする課題】
【０００８】
ＬＴＥでは、制御情報によって動的にリソースを割り当てるＤＳ（ダイナミックスケジューリング）と、準静的にリソースを割り当てであるＳＰＳ（Semi-Persistent Scheduling）が存在する。ＬＴＥの仕様では、図３に示すように、５ビットのＭＣＳインデックスの内、ＭＳＢ（Most Significant Bit、最上位ビット）を０に設定することが、ＳＰＳを設定（アクティベート）するための要件の一つになっている。つまり、ＳＰＳでは、ＭＣＳテーブルの内、周波数利用効率の低い１５個のＭＣＳが使用されることになる。これはＳＰＳでは、音声データ等の低速データを高品質で送信することを前提としているためである。【０００９】
一方、Ｒｅｌ−１２ＭＣＳテーブルでは、２５６ＱＡＭを導入するため、低いＭＣＳを間引いたテーブルを採用することが検討されている。したがって、Ｒｅｌ−１２ＭＣＳテーブルがＲＲＣシグナリング等によって設定されている場合に、ＳＰＳが行なわれると、Ｒｅｌ−８ＭＣＳテーブルが設定された場合に選択可能なＭＣＳを選択できず、不適切なＭＣＳによる通信を行なわなければならない状況が発生してしまう。【００１０】
本発明は、上記問題に鑑みてなされたものであり、その目的は、ＳＰＳにおいて、適切なＭＣＳの通知を行なうようにすることで、スループットを増加させることである。
【課題を解決するための手段】
【００１１】
上述した課題を解決するために本発明に係る基地局および端末の各構成は、次の通りである。【００１２】
（１）上記課題を解決するために、本発明の一様態にかかる端末装置は、制御情報を受信する端末装置であって、Ｃ−ＲＮＴＩ情報を用いて前記制御情報を復号し、該制御情報からＭＣＳインデックスを抽出する制御情報抽出部と、前記ＭＣＳインデックスとＭＣＳテーブルを用いてＭＣＳを判定し、復調を行なうＰＤＳＣＨ復調部とを有し、前記ＰＤＳＣＨ復調部は、前記復号に用いたＣ−ＲＮＴＩ情報に応じて、複数のＭＣＳテーブルから所定のＭＣＳテーブルを選択する。【００１３】
（２）また、本発明の一様態は、前記Ｃ−ＲＮＴＩ情報は、リソース割当がダイナミックスケジューリングであるか準静的スケジューリングであるかを示す情報である。【００１４】
（３）また、本発明の一様態にかかる基地局装置は、リソース割当としてダイナミックスケジューリングか準静的スケジューリングを選択するスケジューリング部と、ＭＣＳテーブルのインデックスの中から伝送に用いるＭＣＳインデックスを設定するＭＣＳ設定部とを備える基地局装置であって、前記ＭＣＳ設定部は、スケジューリング部から入力されるスケジューリングタイプ情報によって、複数のＭＣＳテーブルから所定のＭＣＳテーブルを選択する。【００１５】
（４）また、本発明の一様態は、前記スケジューリングタイプ情報は、前記スケジューリング部でのスケジューリングがダイナミックスケジューリングであるか準静的スケジューリングであるかを示す情報である。
【発明の効果】
【００１６】
この発明によれば、制御情報の増加を抑え、２５６ＱＡＭが導入された場合に、ＳＰＳを効率的にサポートすることができる。
【図面の簡単な説明】
【００１７】
【図１】本発明の第１の実施形態における無線通信システムの構成を示す概略ブロック図である。
【図２】本発明の第１の実施形態に係る基地局装置の構成を示す概略ブロック図である。
【図３】本発明のＲｅｌ−８ＣＱＩテーブルの一例を示す図である。
【図４】本発明のＲｅｌ−１２ＣＱＩテーブルの一例を示す図である。
【図５】本発明のＲｅｌ−８ＭＣＳテーブルの一例を示す図である。
【図６】本発明のＲｅｌ−１２ＭＣＳテーブルの一例を示す図である。
【図７】本発明のＳＰＳ始動を有効にするためのテーブルの一例を示す図である。
【図８】本発明の第１の実施形態に係る端末装置の構成を示す概略ブロック図である。
【図９】本発明の第２の実施形態に係るＳＰＳによる割り当て状況を示す図である。
【図１０】本発明の第２の実施形態に係る基地局装置の構成を示す概略ブロック図である。
【発明を実施するための形態】
【００１８】
本明細書で述べられる技術は、符号分割多重アクセス（CDMA）システム、時分割多重アクセス（TDMA）システム、周波数分割多重アクセス（FDMA）システム、直交ＦＤＭＡ（OFDMA）システム、シングルキャリアＦＤＭＡ（SC-FDMA）システム、及びその他のシステム等の、種々の無線通信システムにおいて使用され得る。用語「システム」及び「ネットワーク」は、しばしば同義的に使用され得る。ＣＤＭＡシステムは、ユニバーサル地上波無線アクセス（UTRA）やｃｄｍａ２０００（登録商標）等のような無線技術（規格）を実装し得る。ＵＴＲＡは、広帯域ＣＤＭＡ（WCDMA（登録商標））及びＣＤＭＡのその他の改良型を含む。ｃｄｍａ２０００は、ＩＳ−２０００、ＩＳ−９５、及びＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（GSM（登録商標））のような無線技術を実装し得る。ＯＦＤＭＡシステムは、Ｅｖｏｌｖｅｄ  ＵＴＲＡ（E-UTRA）、Ｕｌｔｒａ  Ｍｏｂｉｌｅ  Ｂｒｏａｄｂａｎｄ（UMB）、ＩＥＥＥ８０２．１１（Wi-Fi）、ＩＥＥＥ８０２．１６（WiMAX）、ＩＥＥＥ８０２．２０、Ｆｌａｓｈ‐ＯＦＤＭ（登録商標）などのような無線技術を実装し得る。３ＧＰＰ ＬＴＥ（Long Term Evolution）は、ダウンリンク上でＯＦＤＭＡを、アップリンク上でＳＣ−ＦＤＭＡを採用するＥ−ＵＴＲＡである。ＬＴＥ−Ａは、ＬＴＥを改良したシステム、無線技術、規格である。ＵＴＲＡ、Ｅ−ＵＴＲＡ、ＬＴＥ、ＬＴＥ−Ａ及びＧＳＭ(登録商標）は、第３世代パートナーシッププロジェクト（3GPP）と名付けられた機関からのドキュメントで説明されている。ｃｄｍａ２０００及びＵＭＢは、第３世代パートナーシッププロジェクト２（3GPP2）と名付けられた機関からのドキュメントで説明されている。明確さのために、本技術のある側面は、ＬＴＥ、ＬＴＥ−Ａにおけるデータ通信について以下では述べられ、ＬＴＥ用語、ＬＴＥ−Ａ用語は、以下の記述の多くで用いられる。
【００１９】
以下、本発明に係る好適な実施形態を添付の図面を参照して詳細に説明する。添付の図面と共に以下で開示する詳細な説明は、本発明の例示的な実施形態を説明するためのものであって、本発明が実施され得る唯一の実施形態を示すためのものではない。以下の詳細な説明は、本発明の完全な理解を提供するために具体的な細部事項を含む。しかし、当業者であれば、本発明がこのような具体的な細部事項がなくても実施され得ることが分かる。例えば、以下の詳細な説明は、移動通信システムが３ＧＰＰ  ＬＴＥ、ＬＴＥ―Ａシステムである場合を仮定して具体的に説明するが、３ＧＰＰ  ＬＴＥ、ＬＴＥ―Ａの特有の事項を除いては、他の任意の移動通信システムにも適用可能である。また、後述される用語は、本発明における機能を考慮して定義された用語で、ユーザ、運用者の意図または慣例などによって変わり得る。したがって、その用語は、本明細書全般にわたった内容に基づいて定義されるべきである。
【００２０】
実施形態を説明するにおいて本発明が属する技術分野に十分知られており、本発明と直接的に関係のない技術内容については説明を省略する。これは、不要な説明を省略することにより、本発明の要旨を不明瞭にせず、より明確に伝達するためである。よって、いくつかの場合、本発明の概念が曖昧になることを避けるために公知の構造及び装置は省略したり、各構造及び装置の核心機能を中心にしたブロック図の形式で図示したりすることができる。本発明の要旨を不明瞭にせず、より明確に伝達するため、図面において一部の構成要素は、誇張されたり省略されたり概略的に示される。また、各構成要素の大きさは、実際の大きさを反映するものではない。また、本明細書全体で同一の構成要素については同一の図面符号を使用して説明する。
【００２１】
明細書全体において、一つの部分が一つの構成要素を「含む」とするとき、これは、特別に反対の記載がない限り、他の構成要素を除外するのではなく、他の構成要素を更に含むことができることを意味する。さらに、詳細な説明または特許請求の範囲のいずれかで使用される“または”という用語は、排他的な“または”というよりむしろ、包含的な“または”を意味することを意図している。すなわち、そうではないと指定されていない限り、または、文脈から明らかでない限り、“ＸがＡまたはＢを用いる”というフレーズは、自然な包含的順列のうちのいずれかを意味することを意図している。すなわち、“ＸがＡまたはＢを用いる”というフレーズは、以下の例のうちのいずれのものによっても満たされる：ＸがＡを用いる；ＸがＢを用いる；または、ＸがＡおよびＢの双方とも用いる。加えて、本出願および添付した特許請求の範囲で使用した冠詞“ａ”および“ａｎ”は、そうではないと指定されていない限り、または、単数形を意図する文脈から明らかでない限り、一般的に、“１つ以上”を意味すると解釈すべきである。また、明細書に記載された「…部」、「…器」、「モジュール」などの用語は、少なくとも一つの機能や動作を処理する単位を意味し、これは、ハードウェアやソフトウェア又はハードウェア及びソフトウェアの組合せで具現することができる。
【００２２】
併せて、以下の説明において、端末装置は、ユーザ装置（User Equipment: UE）、移動局（Mobile Station: MS、 Mobile Terminal: MT）、移動局装置、移動端末、加入者ユニット、加入者局、ワイヤレス端末、移動体デバイス、ノード、デバイス、遠隔局、遠隔端末、ワイヤレス通信デバイス、ワイヤレス通信装置、ユーザエージェント、アクセス端末などの移動型又は固定型のユーザ端機器を総称するものとする。また、端末装置は、セルラ電話機、コードレス電話機、セッション開始プロトコル（SIP）電話機、スマートフォン、ワイヤレスローカルループ（WLL）局、パーソナルデジタルアシスタント（PDA）、タブレット、ラップトップ、ハンドヘルド通信デバイス、ハンドヘルドコンピューティングデバイス、衛星ラジオ、ワイヤレスモデムカード、ＵＳＢモデム、ルーター、および／または、ワイヤレスシステムを通して通信するための別の処理デバイスとすることができる。また、基地局装置は、ノードＢ（NodeB）、強化ノードＢ（eNodeB）、基地局、アクセスポイント（Access Point: AP）などの端末と通信するネットワーク端の任意のノードを総称するものとする。なお、基地局装置は、ＲＲＨ（Remote Radio Head、基地局装置より小型の屋外型の無線部を有する装置、Remote Radio Unit: RRUとも称す）（リモートアンテナ、分散アンテナとも呼称する。）を含むものとする。ＲＲＨは、基地局装置の特殊な形態とも言える。例えば、ＲＲＨは信号処理部のみを有し、他の基地局装置によってＲＲＨで用いられるパラメータの設定、スケジューリングの決定などが行なわれる基地局装置と言うことができる。
【００２３】
本発明の端末装置は、下記で説明する各種処理に関連した命令を保持するメモリと、前記メモリに結合され、前記メモリ中に保持された前記命令を実行するように構成された、プロセッサを備えた構成でも良い。本発明の基地局装置は、下記で説明する各種処理に関連した命令を保持するメモリと、前記メモリに結合され、前記メモリ中に保持された前記命令を実行するように構成された、プロセッサを備えた構成でも良い。
【００２４】
以下、本発明の実施形態について、図面を参照して詳細に説明する。下記でＣＳＩ（Channel State Information）とは、ランク数を示すＲＩ（Rank Indicator）と、プリコーディング行列のインデックスを示すＰＭＩ（Precoding Matrix Indicator）と、変調方式と符号化率の組み合わせを示すＣＱＩ（Channel Quality Indicator）とから構成される。
【００２５】
（第１の実施形態）
以下、図面を参照しながら、本発明の第１の実施形態について説明する。図１は、本実施形態における無線通信システムの構成の一例を示す。該システムは、基地局装置１０１、端末装置１０２から構成される。各装置に構成されるアンテナポート数は１であっても複数であっても良い。ここで、アンテナポートとは、物理的なアンテナではなく、通信を行なう装置が認識できる論理的なアンテナを指す。
【００２６】
なお、本実施形態において基地局装置１０１は、端末装置１０２に対して、６４ＱＡＭモード、または２５６ＱＡＭモードの設定を行なう。ここで６４ＱＡＭモードとは、２５６ＱＡＭでのＰＤＳＣＨのデータ伝送を行なうことが想定されないＭＣＳテーブル、ＣＱＩテーブル等を用いる設定を意味し、ＰＤＳＣＨに適用されるＭＣＳテーブルを構成する変調方式として２５６ＱＡＭが含まれない設定（構成）、あるいはＰＤＳＣＨに適用されるＭＣＳテーブルを構成する変調方式がＱＰＳＫ、１６ＱＡＭ、６４ＱＡＭから構成される設定（構成）、あるいはフィードバックに用いられるＣＱＩテーブルを構成する変調方式として２５６ＱＡＭが含まれない設定（構成）、あるいはフィードバックに用いられるＣＱＩテーブルを構成する変調方式がＱＰＳＫ、１６ＱＡＭ、６４ＱＡＭから構成される設定（構成）等を意味する。一方、２５６ＱＡＭモードとは、２５６ＱＡＭでのＰＤＳＣＨのデータ伝送を行なうことが想定されたＭＣＳテーブル、ＣＱＩテーブル等を用いる設定を意味し、ＰＤＳＣＨに適用されるＭＣＳテーブルを構成する変調方式として２５６ＱＡＭが少なくとも含まれる設定（構成）、あるいはＰＤＳＣＨに適用されるＭＣＳテーブルを構成する変調方式がＱＰＳＫ、１６ＱＡＭ、６４ＱＡＭ、２５６ＱＡＭから構成される設定（構成）、あるいはフィードバックに用いられるＣＱＩテーブルを構成する変調方式として２５６ＱＡＭが含まれる設定（構成）、あるいはフィードバックに用いられるＣＱＩテーブルを構成する変調方式がＱＰＳＫ、１６ＱＡＭ、６４ＱＡＭ、２５６ＱＡＭから構成される設定（構成）等を意味する。
【００２７】
端末装置１０２が送信した信号は、チャネルを経由し、基地局装置１０１で受信される。図２に、基地局装置１０１の構成の一例を示す。なお、図２では、本発明の実施形態の説明に必要となるブロック（処理部）のみを示している。端末装置１０２が送信した信号は、受信アンテナ２０１を介してＵＬ受信部２０２で受信される。なお、受信アンテナ２０１は、複数のアンテナから構成され、受信ダイバーシチやアダプティブアレーアンテナ等の技術が適用されても良い。ＵＬ受信部２０２は、ダウンコンバージョンやフーリエ変換等の処理を行なう。ＵＬ受信部２０２の出力は、制御情報抽出部２０３に入力される。制御情報抽出部２０３では、端末装置１０２が送信した制御情報を抽出する。ここで、制御情報は、制御情報専用のチャネルであるＰＵＣＣＨ（Physical Uplink Control CHannel）を用いて送信された制御情報、または情報データ送信用のチャネルであるＰＵＳＣＨ（Physical Uplink Shared CHannel）を用いて送信された制御情報である。制御情報抽出部２０３で抽出された制御情報は、ＣＱＩ抽出部２０４、またはＲＲＣ抽出部２０５に入力される。ＲＲＣ抽出部２０５では、制御情報の中から端末装置１０２へのＲＲＣの設定が端末装置１０２で設定されたという情報を抽出する。
【００２８】
ＣＱＩ抽出部２０４では、制御情報抽出部２０３から入力された制御情報の中から、端末装置１０２が送信したＣＱＩインデックスを抽出する。ただし、端末装置１０２が６４ＱＡＭモードでＣＱＩ（単にCQIと記載する場合は、ワイドバンドCQIおよびサブバンドCQI、あるいはどちらかのCQIを意味する）を送信した場合と、端末装置１０２が２５６ＱＡＭモードでＣＱＩを送信した場合とで、各ＣＱＩインデックスが対応する情報（変調方式と符号化率の組み合わせ）が異なる。ＣＱＩ抽出部２０４は、端末装置１０２が６４ＱＡＭモードでＣＱＩを送信したと判断した場合、図３のようなＲｅｌ−８ＣＱＩテーブルによって端末装置１０２がＣＱＩインデックスを通知したものと解釈する。ＣＱＩ抽出部２０４は、端末装置１０２が２５６ＱＡＭモードでＣＱＩを送信したと判断した場合、図４のようなＲｅｌ−１２ＣＱＩテーブルによって端末装置１０２がＣＱＩインデックスを通知したものと解釈する。ここで、図４のＣＱＩテーブルは、図３のテーブルの内、ＱＰＳＫ伝送用のインデックスを削減し、２５６ＱＡＭ伝送用のインデックスを追加したものである。なお、図４は２５６ＱＡＭモードでのＣＱＩテーブルの一例であり、ＱＰＳＫ、１６ＱＡＭ、６４ＱＡＭの一部またはすべてを含まず、２５６ＱＡＭを含むテーブルや図３のテーブルのＣＱＩを等間隔に削除し、２５６ＱＡＭとしたものなど、図３のＣＱＩテーブルと異なり、かつ２５６ＱＡＭでの伝送が想定されたＣＱＩテーブルであればどのようなものであっても良い。
【００２９】
ＣＱＩ抽出部２０４で抽出された端末装置１０２のＣＱＩは、スケジューリング部２０６およびＭＣＳ設定部２０７に入力される。スケジューリング部２０６では、端末装置１０２のＣＱＩを用いて、端末装置１０２へのリソース割り当てを行なう。リソース割り当てとして、瞬時の端末装置１０２の状態に応じてリソースを割り当てるダイナミックスケジューリング（DS）と、端末装置１０２に時間的には周期的、周波数的には固定的にリソースを割り当てる準静的スケジューリング（Semi-Persistent Scheduling、SPS）がある。ここで、ダウンリンクでＭＩＭＯ（Multiple Input Multiple Output）伝送が行なわれる場合、ＣＱＩに加えて、端末装置１０２から通知されるＲＩ（Rank Indicator）やＰＭＩ（Precoding Matrix Indicator）を考慮して、スケジューリングが行なわれる。スケジューリング部２０６が出力する端末装置１０２への割り当て情報、およびスケジューリングがＤＳかＳＰＳかという情報（以降、スケジューリングタイプ情報）は、ＭＣＳ設定部２０７およびＰＤＳＣＨ生成部２０８に入力される。
【００３０】
ＭＣＳ設定部２０７では、スケジューリング部２０６から入力されるリソース割り当て情報とＣＱＩ抽出部２０４から入力されるＣＱＩを用いて、次回の伝送に用いるリソースにおけるチャネル品質を推定する。ＭＣＳ設定部２０７は、推定されたチャネル品質に基づき、所定の誤り率が得られるＭＣＳを設定し、ＭＣＳインデックスを作成する。なお、スケジューリング部２０６から入力されるスケジューリングタイプ情報がＤＳである場合、作成されるＭＣＳインデックスは、ＲＲＣシグナリングで設定される変調モードによって異なる。例えば、ＭＣＳ設定部２０７は、ＲＲＣシグナリングによって６４ＱＡＭモードが設定されている場合、図５に示すようなＲｅｌ−８ＭＣＳテーブルからＭＣＳインデックスを選択する。また、ＭＣＳ設定部２０７は、２５６ＱＡＭモードが設定されている場合、図６に示すようなＲｅｌ−１２ＭＣＳテーブルからＭＣＳインデックスを選択する。なお、本実施形態において、２５６ＱＡＭまでサポートされていれば、図６に記載のＭＣＳテーブルとは異なるＲｅｌ−１２ＭＣＳテーブルが用いられても良い。
【００３１】
一方、ＭＣＳ設定部２０７に入力されるスケジューリングタイプ情報がＳＰＳである場合、図７に基づいて、５ビットのＭＣＳのインデックスのＭＳＢ（Most Significant Bit、最上位ビット）は０に設定される。つまり、Ｒｅｌ−８ＭＣＳテーブルが設定されている場合、ＭＣＳ設定部２０７は、図５のような０から３１までのＭＣＳインデックスを指定できるのではなく、０から１５までのＭＣＳインデックスしか指定できなくなる。なお、図７中のＤＣＩフォーマット１、ＤＣＩフォーマット１Ａ、ＤＣＩフォーマット２、ＤＣＩフォーマット２Ａ、ＤＣＩフォーマット２Ｂ、ＤＣＩフォーマット２Ｃ、ＤＣＩフォーマット２Ｄは、それぞれ、ダウンリンクの割当等の制御情報（ダウンリンク制御情報：DCI）を端末装置に通知するためのフォーマット（ダウンリンク制御情報フォーマット：DCI format）である。
【００３２】
また、ＲＲＣシグナリングによってＲｅｌ−１２ＭＣＳテーブル（256QAMモード）が設定された場合、従来技術をそのまま用いると、ＭＣＳ設定部２０７は、図６のＲｅｌ−１２ＭＣＳテーブルのＭＣＳインデックス０から１５までの中からＭＣＳを選択することになる。しかしながら、図６に示すＲｅｌ−１２ＭＣＳテーブルは、図５のＲｅｌ−８ＭＣＳテーブルのＱＰＳＫ伝送のＭＣＳが削除されている。つまり、Ｒｅｌ−８ＭＣＳテーブルにおいて設定可能であるＭＣＳをＭＣＳ設定部２０７が選択できないため、適切なＭＣＳによる伝送を行なうことができず、スループットが劣化してしまう。なお、Ｒｅｌ−１２ＭＣＳテーブルをＳＰＳの際にも使用することで、より周波数利用効率の高いＭＣＳを選択できるようになるが、ＳＰＳは音声データ等の低速データを高品質で伝送することを主目的として導入されている技術であるため、周波数利用効率の高いＭＣＳを設定可能とするメリットよりも、適切なＭＣＳを選択できないデメリットの方が大きい。
【００３３】
そこで、本実施形態のＭＣＳ設定部２０７では、スケジューリングタイプ情報としてＳＰＳが入力された場合、ＲＲＣシグナリングでの設定（変調モードの設定）に関わらず、Ｒｅｌ−８ＭＣＳテーブルを用いてＭＣＳの設定を行なう。つまり、ＲＲＣシグナリングによってＲｅｌ−１２ＭＣＳテーブル（256QAMモード用MCSテーブル）が設定されている場合においても、ＭＣＳ設定部２０７は、ＳＰＳのＰＤＳＣＨに対してＲｅｌ−８ＭＣＳテーブルを用いてＭＣＳの設定を行なう。さらに、ＭＣＳ設定部２０７は、ＳＰＳのＰＤＳＣＨに対してＲｅｌ−８ＭＣＳテーブルのＭＣＳインデックスの内、０から１５までのインデックスのいずれかを選択する。これにより、ＲＲＣシグナリングで設定されている変調モードに関わらず、ＳＰＳにおいて適切なＭＣＳによって伝送を行なうことが可能となる。
【００３４】
ＭＣＳ設定部２０７が設定したＭＣＳインデックスを示す５ビットはＰＤＳＣＨ生成部２０８に入力されるとともに、制御情報生成部２０９に入力される。制御情報生成部２０９は、入力されたＭＣＳインデックスを、割り当て情報などの他の制御情報とともにＤＣＩフォーマットとして信号を生成する。また、生成されたＤＣＩフォーマットのデータ系列によってＣＲＣ（Cyclic Redundancy Check）が生成される。スケジューリングタイプ情報がＤＳの場合は、生成されたＣＲＣに対してＣ−ＲＮＴＩ（Cell-Radio Network Temporary Identifier）による暗号化（スクランブリング）が行なわれ、スケジューリングタイプ情報がＳＰＳの場合は、生成されたＣＲＣに対してＳＰＳ  Ｃ−ＲＮＴＩによる暗号化が行なわれる。暗号化が行なわれたＣＲＣがＤＣＩフォーマットに付加される。ＤＣＩフォーマットとして生成された信号はＰＤＣＣＨに配置される。なお、Ｃ−ＲＮＴＩによる暗号化を行なうかＳＰＳ  Ｃ−ＲＮＴＩによる暗号化を行なうかという情報（以降、C-RNTI情報と称する）と、スケジューリングタイプに関する情報は１対１に対応するものであるため、上述した各ブロック間に入出力されるスケジューリングタイプに関する情報は、Ｃ−ＲＮＴＩ情報（C-RNTI、またはSPS C-RNTI）に置き換えられても良い。
【００３５】
ＰＤＳＣＨ生成部２０８は、ＭＣＳ設定部２０７から入力されるＭＣＳインデックスによって示される変調方式と符号化率を用いて、端末装置１０２宛の情報ビットに対して符号化および変調を行なう。ＰＤＳＣＨ生成部２０８は、スケジューリング部２０６から入力される割り当て情報に従って、端末装置１０２宛ての信号をＰＤＳＣＨに配置する。配置された信号は、ＤＬ送信部２１１に入力される。また、ＲＲＣ情報生成部２１０が端末装置１０２に通知すべきＲＲＣ情報が存在する場合、ＰＤＳＣＨ生成部２０８に該ＲＲＣ情報が入力され、該端末装置１０２宛のデータ信号としてＰＤＳＣＨに配置されて送信される。該ＲＲＣ情報とは、ＲＲＣシグナリングによって通知される情報であり、変調モード（256QAMモードと64QAMモード）の設定情報である変調モード設定や、ＣＳＩ要求領域の値に対応するサービングセルセット（複数のセルの集合）もしくは特定のサービングセルの構成であるＣＳＩ要求設定等が含まれる。
【００３６】
ＤＬ送信部２１１は、ＰＤＳＣＨ生成部２０８と制御情報生成部２０９から入力される信号を多重した後、逆離散フーリエ変換、帯域制限フィルタリング、アップコンバージョン等の処理を行なう。ＤＬ送信部２１１が出力する信号は送信アンテナ２１２を介して端末装置１０２に送信される。
【００３７】
基地局装置１０１が送信した信号は、チャネルを経由し、端末装置１０２で受信される。図８に端末装置１０２の構成例を示す。受信アンテナ８００で受信された信号はＤＬ受信部８０１に入力され、ダウンコンバージョン、帯域制限フィルタリング、離散フーリエ変換等の処理を適用される。ＤＬ受信部８０１から出力された信号は、参照信号抽出部８０２に入力される。参照信号抽出部８０２では、基地局装置１０１が送信するＣＲＳ（Cell-specific Reference Signal）、ＣＳＩ−ＲＳ（Channel State Information Reference Signal）、ＤＭＲＳ（UE-specific Reference Signal、Demodulation Reference Signal）等の参照信号が配置されたリソースが抽出され、抽出された参照信号がチャネル推定部２０６に入力される。チャネル推定部８０６では、入力された受信参照信号を用いて基地局装置１０１と端末装置１０２との間のチャネル状態（伝搬路状態）が推定される。推定されたチャネル状態の推定値は、ＣＱＩ生成部８０７に入力される。なお、図８では示していないが、推定されたチャネル状態の推定値は制御情報抽出部８０３とＰＤＳＣＨ復調部８０４にも入力され、ＰＤＣＣＨやＰＤＳＣＨに配置された信号の復調に用いられる。
【００３８】
参照信号抽出部８０２において抽出された参照信号以外の信号は、制御情報抽出部８０３に入力される。例えば、ＰＤＣＣＨに配置された信号が、制御情報抽出部８０３に入力される。
【００３９】
制御情報抽出部８０３は、受信信号の中から制御情報（ダウンリンク制御情報、DCIフォーマット）に関する情報が送信された無線リソースを抽出する。制御情報抽出部８０３は、抽出した無線リソースに対してブラインドデコーディングを適用する。この時、端末装置１０２は、ＣＲＣの暗号解除（デスクランブリング）はＣ−ＲＮＴＩおよびＳＰＳ  Ｃ−ＲＮＴＩにより行ない、正しく復号できた方を、送信された制御情報とみなす。復号された制御情報のうち、リソース割り当てに関する情報（リソース割り当て情報）と、ＰＤＳＣＨのＭＣＳインデックスに関する情報および、Ｃ−ＲＮＴＩで復号できた制御情報であるかＳＰＳ  Ｃ−ＲＮＴＩで復号できた制御情報であるかの情報（以降、C-RNTI情報と呼ぶ）はＰＤＳＣＨ復調部２０４に入力される。
【００４０】
制御情報抽出部８０３の出力はＰＤＳＣＨ復調部８０４に入力される。例えば、ＰＤＳＣＨに配置された信号がＰＤＳＣＨ復調部８０４に入力される。ＰＤＳＣＨ復調部８０４では、制御情報抽出部８０３から入力されるリソース割り当て情報とＭＣＳ情報（ＭＣＳインデックス、ＭＣＳインデックスに関する情報）を用いて、ＰＤＳＣＨの復調を行なう。このとき、Ｃ−ＲＮＴＩ情報として、Ｃ−ＲＮＴＩによって制御情報が復号されたという情報が入力されている場合、ＰＤＳＣＨ復調部８０４は、ＲＲＣ設定部８０８から入力される変調モード設定（64QAMモード、256QAMモード）に基づいて参照するＭＣＳテーブルを選択し、選択されたＭＣＳテーブルと通知されたＭＣＳインデックスからＭＣＳを判定し、判定したＭＣＳを復調に用いる。例えば、ＰＤＳＣＨ復調部８０４は、６４ＱＡＭモードが設定されている場合、図５のＲｅｌ−８ＭＣＳテーブルに基づいてＭＣＳインデックスからＭＣＳの判定を行ない、２５６ＱＡＭモードが設定されている場合、図６のＲｅｌ−１２ＭＣＳテーブルに基づいてＭＣＳインデックスからＭＣＳの判定を行なう。また、ＰＤＳＣＨ復調部８０４は、６４ＱＡＭモードが設定されているサブフレーム（ダウンリンクサブフレーム、サブフレームセット）においては図５のＲｅｌ−８ＭＣＳテーブルに基づいてＭＣＳインデックスからＭＣＳの判定を行ない、２５６ＱＡＭモードが設定されているサブフレーム（ダウンリンクサブフレーム、サブフレームセット）においては図６のＲｅｌ−１２ＭＣＳテーブルに基づいてＭＣＳインデックスからＭＣＳの判定を行なう。各サブフレームに対して設定される変調モード設定が、ＲＲＣ設定部８０８より示される。
【００４１】
本実施形態において、ＰＤＳＣＨ復調部８０４に、Ｃ−ＲＮＴＩ情報としてＳＰＳ  Ｃ−ＲＮＴＩによって制御情報が復号されたという情報が入力されている場合、ＲＲＣ設定部８０８から入力される変調モード設定（64QAMモード、256QAMモード）によらず、Ｒｅｌ−８ＭＣＳテーブルを選択し、通知されたＭＣＳインデックスからＭＣＳを判定し、判定したＭＣＳを復調に用いる。
【００４２】
このように本実施形態におけるＰＤＳＣＨ復調部８０４では、入力されたＣ−ＲＮＴＩ情報に応じて、ＲＲＣシグナリングによって設定されたＭＣＳテーブル（設定された変調モードに基づくMCSテーブル）（QPSK、16QAM、64QAMをサポートしたMCSテーブル、またはQPSK、16QAM、64QAM、256QAMをサポートしたMCSテーブル）を用いるか、所定のＭＣＳテーブル（QPSK、16QAM、64QAMをサポートしたMCSテーブル）を用いるかを切り替える。つまり、Ｃ−ＲＮＴＩ情報としてＳＰＳ  Ｃ−ＲＮＴＩによって制御情報が復号されたという情報が入力された場合、ＲＲＣシグナリングの設定（変調モードの設定）に関わらず、Ｒｅｌ−８ＭＣＳテーブルによってＭＣＳを判定する。一方、Ｃ−ＲＮＴＩ情報としてＣ−ＲＮＴＩによって制御情報が復号されたという情報が入力された場合、ＲＲＣシグナリングの設定（変調モードの設定）によって、ＭＣＳテーブルとしてＲｅｌ−８ＭＣＳテーブルを用いるか、Ｒｅｌ−１２ＭＣＳテーブルを用いるかを判定する。この結果、ＤＳでは受信状況に応じた適切なＭＣＳを適用（設定）することが可能となり、ＳＰＳでは低速データに好適なＭＣＳを適用（設定）することが可能となる。受信状況の良い端末装置１０２に対して、ＤＳでは２５６ＱＡＭでの伝送を効率的にサポートすることができ、ＳＰＳではＱＰＳＫでの伝送を効率的にサポートすることができる。なお、通信中に端末装置１０２に対して、ＤＳとＳＰＳは同時にサポートされる。例えば、あるサブフレームではＤＳを用いたＰＤＳＣＨ伝送が行なわれ、他のあるサブフレームではＳＰＳを用いたＰＤＳＣＨ伝送が行なわれる。例えば、あるＨＡＲＱプロセスを用いてＤＳを用いたＰＤＳＣＨ伝送が行なわれ、他のあるＨＡＲＱプロセスを用いてＳＰＳを用いたＰＤＳＣＨ伝送が行なわれる。例えば、ファイル転送等のサービスのデータがＤＳのＰＤＳＣＨで伝送され、ＶｏＩＰのデータがＳＰＳのＰＤＳＣＨで伝送される。以上のように、本発明の実施形態により、ＤＳで２５６ＱＡＭを適用しつつ、ＳＰＳで好適なＱＰＳＫを適用することができる。
【００４３】
ＰＤＳＣＨ復調部８０４の出力は、ＲＲＣ抽出部８０８に入力される。ＲＲＣ抽出部８０８では、入力された信号にＲＲＣシグナリングが含まれる場合、ＲＲＣシグナリングを抽出し、抽出したＲＲＣシグナリングをＲＲＣ設定部８０８に入力する。ＲＲＣ設定部８０８は、ＲＲＣシグナリングによって基地局装置１０１が伝送した制御情報を用いて端末装置１０２の各処理部を制御する。つまり、ＲＲＣ設定部８０８は、制御パラメータを設定する処理を行なう。例えば、ＲＲＣ設定部８０８は、ＲＲＣシグナリングによって通知された変調モード設定に基づき、６４ＱＡＭモードを適用するサブフレーム（サブフレームセット）と２５６ＱＡＭモードを適用するサブフレーム（サブフレームセット）を判断する。
【００４４】
ＣＱＩ生成部８０７は、チャネル推定部８０６から入力されるチャネル推定値とＲＲＣ設定部８０８から入力される変調モード設定（64QAMモードか256QAMモードかの設定）を用いて、ＣＱＩに関する情報（例えばCQIインデックス）を生成する。ここでＣＱＩとは、システム帯域全体のＣＱＩであるワイドバンドＣＱＩと、システム帯域を複数のサブバンドに分割した際のサブバンド毎のＣＱＩであるサブバンドＣＱＩを含む。ＣＱＩ生成部８０７は、入力された変調モード設定に基づき、ＣＱＩインデックスの生成に用いるＣＱＩテーブルを選択する。ＣＱＩ生成部８０７は、入力されたチャネル推定値に基づき、あるＣＱＩテーブルの何れかのＣＱＩインデックスを選択する。ＣＱＩ生成部８０７は、６４ＱＡＭモードが設定されたサブフレーム（ダウンリンクサブフレーム、サブフレームセット、ダウンリンクサブフレームセット）に対しては、図３のＲｅｌ−８ＣＱＩテーブルによってチャネル推定値から得られるチャネル品質を量子化し、所定の誤り率となるＣＱＩインデックスを選択し、選択したＣＱＩインデックスをＰＵＣＣＨ生成部８０９、またはＰＵＳＣＨ生成部８１０に入力する。ＣＱＩ生成部８０７は、２５６ＱＡＭモードが設定されたサブフレーム（ダウンリンクサブフレーム、サブフレームセット、ダウンリンクサブフレームセット）に対しては、図４のＲｅｌ−１２ＣＱＩテーブルによってチャネル推定値から得られるチャネル品質を量子化し、所定の誤り率が得られるＣＱＩインデックスを選択し、選択したＣＱＩインデックスをＰＵＣＣＨ生成部８０９、またはＰＵＳＣＨ生成部８１０に入力する。ＣＳＩの通知は、周期的に通知する方法と非周期的に通知する方法がある。周期的ＣＳＩ（Periodic CSI、P-CSI）の送信にはＰＵＣＣＨ、またはＰＵＳＣＨが用いられる。非周期的ＣＳＩの送信には、ＰＵＳＣＨが用いられる。
【００４５】
（第２の実施形態）
第１の実施形態では、Ｃ−ＲＮＴＩ情報と変調モード設定に基づいて、ＭＣＳのテーブルを切り替え、ＳＰＳ  Ｃ−ＲＮＴＩにより制御情報を正しく復号できた場合はＲｅｌ−８ＭＣＳテーブルを選択するとした。しかしながら、ＳＰＳの設定を行なうには、ＭＣＳのＭＳＢを‘０’に設定する必要があるため、６４ＱＡＭを用いた伝送を行なうことができない。ＭＳＢを‘０’とするという仕様を変更せずに６４ＱＡＭを用いるには、ＳＰＳにおいてもＲｅｌ−１２ＭＣＳテーブルを用いることが必要となる。本実施形態では、ＳＰＳにおいてもＲｅｌ−１２ＭＣＳテーブルを用いた場合について説明を行なう。
【００４６】
ＳＰＳにおいてもＲｅｌ−１２ＭＣＳテーブルを用いるには、Ｃ−ＲＮＴＩ情報によってＭＣＳテーブルを切り替えるのではなく、ＲＲＣシグナリングによって変調モード（64QAMモード、あるいは256QAMモード）が設定され、変調モードをダイナミックスケジューリング（DS）だけでなく、ＳＰＳにも用いる。なお、常に該変調モード用のＭＣＳテーブルを用いるのではなく、例えば、ＲＲＣシグナリングによって設定されるＳＰＳの周期が、所定の閾値よりも長い場合は、変調モードによらず、Ｒｅｌ−８ＭＣＳテーブル（64QAMモード用MCSテーブル）を選択するとしても良い。
【００４７】
つまり、基地局装置１０１は、ＲＲＣ抽出部からＭＣＳ設定部に入力されるＳＰＳの周期が所定の値よりも長いときには、ＭＣＳ設定部２０７はＲｅｌ−８ＭＣＳテーブルを用いてＭＣＳインデックスを引き出し、ＳＰＳの周期が所定の値よりも短いときには、ＭＣＳ設定部２０７はＲＲＣ抽出部２０５から入力される情報に基づいてＭＣＳテーブルを設定し、ＭＣＳインデックスを引き出す。
【００４８】
このように、ＲＲＣシグナリングによる情報に応じて、ＭＣＳインデックスを引き出すために参照するＭＣＳテーブルを選択することで、変調モードを変更するＲＲＣシグナリングを改めて通知することなく、変調モードを変更することが可能となる。
【００４９】
次に、ＳＰＳによる伝送に対する再送が適用された場合について説明を行なう。ＳＰＳでのスケジューリング結果が図９のようであったとものとする。まず、図９に示すようにＲＲＣシグナリングによって、Ｒｅｌ−１２ＭＣＳテーブルが設定されており、１００ｍｓ毎にＳＰＳが行なわれるものとする。以後この１００ｍｓ間隔でのＳＰＳをＳＰＳ１と呼ぶ。図９ではその後（初めのSPSから少なくとも80ms以内）、ＲＲＣシグナリングによってＲｅｌ−８ＭＣＳテーブルが設定され、新たにＳＰＳが行なわれている。新たなＳＰＳでは、Ｒｅｌ−８ＭＣＳテーブルによって５０ｍｓ間隔でのＳＰＳが行なわれている。以後この５０ｍｓ間隔でのＳＰＳをＳＰＳ２と呼ぶ。
【００５０】
ここで、ＳＰＳ１およびＳＰＳ２において送信したデータに誤りが生じた場合、端末装置１０２は、ＮＡＣＫを基地局装置１０１に対して送信し、基地局装置１０１はデータを再送することになるが、この時、どのＭＣＳテーブルを用いるかが問題となる。本実施形態ではＳＰＳに対する再送時のＭＣＳテーブルについて説明を行なう。
【００５１】
本実施形態における基地局装置１０１の構成を図１０を用いて説明する。図１０では、第１の実施形態の図２と比較して、再送判定部１００４が備わっている点が異なる。なお、図１０でＣＱＩ抽出部は図示していないが、第１の実施形態と同様に存在し、ＣＱＩが端末装置１０２から通知された場合、ＣＱＩを抽出し、ＭＣＳ設定部１００７とスケジューリング部１００６に入力する。
【００５２】
まず、端末装置１０２から送信されたＡＣＫ信号あるいはＮＡＣＫ信号等の制御情報は、制御情報抽出部１００３によって抽出され、再送判定部等１００４に入力される。再送判定部１００４では、ＡＣＫ信号あるいはＮＡＣＫ信号を抽出し、再送を行なう必要があるかを判定する。再送を行なう必要がないと判断した場合、初送を行なうという情報を、スケジューリング部１００６やＭＣＳ設定部１００７に入力する。ＭＣＳ設定部１００７では、次回のＳＰＳで送信を行なうためのＭＣＳを決定する。ここで、用いるＭＣＳテーブルは、ＲＲＣ設定部１００５から入力される情報を用いて設定される。ただし、第１の実施形態で示したように、ＲＲＣシグナリングによらず、スケジューリングがＤＳであるかＳＰＳであるかによって、使用するＭＣＳテーブルを設定しても良い。
【００５３】
次に、端末装置１０２がＮＡＣＫ信号を通知した場合について説明を行なう。この場合、ＮＡＣＫ信号を含む制御情報は、制御情報抽出部１００３によって抽出され、再送判定部等１００４に入力される。再送判定部１００４では、ＮＡＣＫ信号を抽出し、再送を行なう必要があると判定する。再送を行なうという情報を、スケジューリング部１００６やＭＣＳ設定部１００７に入力する。スケジューリング部はＳＰＳで設定されたリソース（図９の100ms周期）以外のリソースを再送用に割り当てる。ＭＣＳ設定部１００７では、再送時のＭＣＳを設定する。このとき、ＳＰＳ１のようにＲｅｌ−１２ＭＣＳテーブルでＳＰＳが設定され、その後ＲＲＣシグナリングによってＲｅｌ−８ＭＣＳテーブルが設定された場合は、再送時に設定されているＭＣＳテーブルではなく、ＳＰＳ１が設定されるときに用いたＭＣＳテーブルを保存しておき、そのＭＣＳテーブルを用いる。
【００５４】
一方、スケジューリングタイプがＤＳの場合、ＲＲＣシグナリングによって設定されているＭＣＳテーブルによって、初送、あるいは再送を行なう。
【００５５】
このように、スケジューリングタイプがＤＳの場合、ＭＣＳ設定部１００７は、ＲＲＣシグナリングによって設定されているＭＣＳテーブルによってＭＣＳインデックスを決定する。一方、スケジューリングタイプがＳＰＳの場合、ＭＣＳ設定部１００７は、初送時あるいは再送時にＲＲＣシグナリングによって設定されているＭＣＳテーブルではなく、ＳＰＳが設定された時点におけるＭＣＳテーブルを保存しておき、保存されているＭＣＳテーブルによって再送を行なう。これにより、初送と再送で用いるＭＣＳテーブルが異なり、初送時と同一のＭＣＳによる再送を行なうことができず、受信の合成を行なうことができないという状況を回避することができる。つまり、効率的な再送を行なうことができる。
【００５６】
なお、ＤＳの初送および再送のためのＤＣＩフォーマットのＣＲＣは、Ｃ−ＲＮＴＩによる暗号化（スクランブリング）が行なわれ、ＳＰＳの初送および再送のためのＤＣＩフォーマットのＣＲＣは、Ｃ−ＲＮＴＩではなく、ＳＰＳ  Ｃ−ＲＮＴＩによって暗号化が行なわれ、端末装置１０２に送信される。
【００５７】
次に本実施形態における端末装置１０２の構成について説明を行なう。基本的な構成は図８の構成と変わらないが、ＰＤＳＣＨ復調部８０４での処理が異なるため、ＰＤＳＣＨ復調部８０４での処理について説明を行なう。
【００５８】
第１の実施形態と同様、制御情報抽出部８０３は、制御情報をＣ−ＲＮＴＩを用いて復号したか、あるいはＳＰＳ  Ｃ−ＲＮＴＩで復号したかというＣ−ＲＮＴＩ情報をＰＤＳＣＨ復調部８０４に入力する。
【００５９】
ＰＤＳＣＨ復調部８０４では、制御情報がＣ−ＲＮＴＩによってブラインドデコーディングされた場合、受信データはＤＳによって送信されているため、ＲＲＣ設定部から、ＲＲＣシグナリングによって設定されているＭＣＳテーブルを入力され、通知されたＭＣＳインデックスを用いてＭＣＳを判定する。一方、制御情報がＳＰＳ  Ｃ−ＲＮＴＩによってブラインドデコーディングされた場合、受信データはＳＰＳによって送信されているため、ＲＲＣ設定部８０８からはＭＣＳテーブルに関して情報は入力されず、該ＳＰＳが設定された時点におけるＭＣＳテーブルと、通知されたＭＣＳインデックスを用いてＭＣＳを判定する。得られたＭＣＳはＰＤＳＣＨ復調部８０４に入力される。
【００６０】
このように、端末装置１０２は、Ｃ−ＲＮＴＩ情報によって復調に用いるＭＣＳテーブルを判定する。Ｃ−ＲＮＴＩで復号を行なった場合、ＲＲＣシグナリングによって通知されたＭＣＳテーブルによってＭＣＳを判定する。一方、ＳＰＳ  Ｃ−ＲＮＴＩ情報によって復調に用いるＭＣＳテーブルを判定する。ＳＰＳ  Ｃ−ＲＮＴＩで復号を行なった場合、ＲＲＣシグナリングによって通知されたＭＣＳテーブルではなく、ＳＰＳが設定された時点におけるＭＣＳテーブルによってＭＣＳを判定する。この結果、ＳＰＳにおいて、初送時と同じＭＣＳを再送時に使用することが可能となるため、再送効果が向上し、スループットを向上させることができる。
【００６１】
本発明に関わる基地局および端末で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ROM、不揮発性メモリカード等）、光記録媒体（例えば、DVD、MO、MD、CD、BD等）、磁気記録媒体（例えば、磁気テープ、フレキシブルディスク等）等のいずれであっても良い。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【００６２】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における基地局および端末の一部、又は全部を典型的には集積回路であるＬＳＩとして実現しても良い。基地局および端末の各機能ブロックは個別にチップ化しても良いし、一部、又は全部を集積してチップ化しても良い。また、集積回路化の手法はＬＳＩに限らず専用回路、又は汎用プロセッサで実現しても良い。各機能ブロックを集積回路化した場合に、それらを制御する集積回路制御部が付加される。
【００６３】
また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【００６４】
また、本願発明は上述の実施形態に限定されるものではない。本願発明の端末は、移動局装置への適用に限定されるものではなく、屋内外に設置される据え置き型、又は非可動型の電子機器、たとえば、ＡＶ機器、キッチン機器、掃除・洗濯機器、空調機器、オフィス機器、自動販売機、その他生活機器などに適用できることは言うまでもない。
【００６５】
情報及び信号が、種々の異なるあらゆる技術及び方法を用いて示され得る。例えば前述の説明を通して参照され得るチップ、シンボル、ビット、信号、情報、コマンド、命令、及びデータは、電圧、電流、電磁波、磁場または磁性粒子、光学場または光粒子、またはこれらの組み合わせによって示され得る。
【００６６】
本明細書の開示に関連して述べられた種々の例示的な論理ブロック、処理部、及びアルゴリズムステップが、電子的なハードウェア、コンピュータソフトウェア、または両者の組み合わせとして実装され得る。ハードウェアとソフトウェアとのこの同義性を明瞭に示すために、種々の例示的な要素、ブロック、モジュール、回路、及びステップが、概してその機能性に関して述べられてきた。そのような機能性がハードウェアとして実装されるかソフトウェアとして実装されるかは、個々のアプリケーション、及びシステム全体に課された設計の制約に依存する。当業者は、各具体的なアプリケーションにつき種々の方法で、述べられた機能性を実装し得るが、そのような実装の決定は、この開示の範囲から逸脱するものとして解釈されるべきではない。
【００６７】
本明細書の開示に関連して述べられた種々の例示的な論理ブロック、処理部は、本明細書で述べられた機能を実行するように設計された汎用用途プロセッサ、デジタルシグナルプロセッサ（DSP）、特定用途向け集積回路（ASIC）、フィールドプログラマブルゲートアレイシグナル（FPGA）、またはその他のプログラマブル論理デバイス、ディスクリートゲートまたはトランジスタロジック、ディスクリートハードウェア部品、またはこれらを組み合わせたものによって、実装または実行され得る。汎用用途プロセッサは、マイクロプロセッサであっても良いが、代わりにプロセッサは従来型のプロセッサ、コントローラ、マイクロコントローラ、またはステートマシンであっても良い。プロセッサはまた、コンピューティングデバイスを組み合わせたものとして実装されても良い。例えば、ＤＳＰとマイクロプロセッサ、複数のマイクロプロセッサ、ＤＳＰコアと接続された一つ以上のマイクロプロセッサ、またはその他のそのような構成を組み合わせたものである。
【００６８】
本明細書の開示に関連して述べられた方法またはアルゴリズムのステップは、ハードウェア、プロセッサによって実行されるソフトウェアモジュール、またはこれら２つを組み合わせたものによって、直接的に具体化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または本分野で既知のあらゆる形態の記録媒体内に存在し得る。典型的な記録媒体は、プロセッサが情報を記録媒体から読み出すことが出来、また記録媒体に情報を書き込むことができるように、プロセッサに結合され得る。別の方法では、記録媒体はプロセッサに一体化されても良い。プロセッサと記録媒体は、ＡＳＩＣ内にあっても良い。ＡＳＩＣは、端末装置（ユーザ端末）内にあり得る。あるいは、プロセッサ及び記録媒体は、ディスクリート要素として端末装置５内にあっても良い。
【００６９】
１つまたはそれ以上の典型的なデザインにおいて、述べられた機能は、ハードウェア、ソフトウェア、ファームウェア、またはこれらを組み合わせたもので実装され得る。もしソフトウェアによって実装されるのであれば、機能は、コンピュータ読み取り可能な媒体上の一つ以上の命令またはコードとして保持され、または伝達され得る。コンピュータ読み取り可能な媒体は、コンピュータプログラムをある場所から別の場所への持ち運びを助ける媒体を含むコミュニケーションメディアやコンピュータ記録メディアの両方を含む。記録媒体は、汎用または特殊用途のコンピュータによってアクセスされることが可能な市販のいずれの媒体であって良い。一例であってこれに限定するものではないものとして、このようなコンピュータ読み取り可能な媒体は、ＲＡＭ、ＲＯＭ、ＥＥＰＲＯＭ、ＣＤＲＯＭまたはその他の光ディスク媒体、磁気ディスク媒体またはその他の磁気記録媒体、または汎用または特殊用途のコンピュータまたは汎用または特殊用途のプロセッサによりアクセス可能とされ且つ命令またはデータ構造の形で所望のプログラムコード手段を持ち運びまたは保持するために使用可能な媒体を含むことができる。また、あらゆる接続が、適切にコンピュータ読み取り可能な媒体と呼ばれる。例えば、もしソフトウェアが同軸ケーブル、光ファイバケーブル、ツイストペア、デジタル加入者回線（DSL）、または赤外、無線、またマイクロ波のような無線技術を用いて、ウェブサイト、サーバ、またはその他の遠隔ソースから送信される場合には、これらの同軸ケーブル、光ファイバケーブル、ツイストペア、ＤＳＬ、または赤外、無線、またマイクロ波のような無線技術が、媒体の定義に含まれる。本明細書で使用されるディスク（disk、disc）は、コンパクトディスク（CD）、レーザーディスク（登録商標）、光学ディスク、デジタルバーサタイルディスク（DVD）、フロッピー（登録商標）ディスク、ブルーレイディスク、を含み、ディスク（disk）は、一般的に、磁気的にデータを再生する一方で、ディスク（disc）はレーザによって光学的にデータを再生する。前述のものを組み合わせたものもまた、コンピュータ読み取り可能な媒体に含まれるべきである。
【００７０】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【００７１】
本発明は、無線基地局や無線端末や無線通信システムや無線通信方法に用いて好適である。【００７２】
なお、本国際出願は、２０１４年３月２０日に出願した日本国特許出願第２０１４−０５８１５８号に基づく優先権を主張するものであり、日本国特許出願第２０１４−０５８１５８号の全内容を本国際出願に援用する。
【符号の説明】
【００７３】
１０１…基地局装置、１０２…端末装置、２０１…受信アンテナ、２０２…ＵＬ受信部、２０３…制御情報抽出部、２０４…ＣＱＩ抽出部、２０５…ＲＲＣ抽出部、２０６…スケジューリング部、２０７…ＭＣＳ設定部、２０８…ＰＤＳＣＨ生成部、２０９…制御情報生成部、２１０…ＲＲＣ生成部、２１１…ＤＬ送信部、２１２…送信アンテナ、８００…受信アンテナ、８０１…ＤＬ受信部、８０２…参照信号抽出部、８０３…制御情報抽出部、８０４…ＰＤＳＣＨ復調部、８０５…ＲＲＣ抽出部、８０６…チャネル推定部、８０７…ＣＱＩ生成部、８０８…ＲＲＣ設定部、８０９…ＰＵＣＣＨ生成部、８１０…ＰＵＳＣＨ生成部、８１１…ＵＬ送信部、８１２…送信アンテナ、１００１…受信アンテナ、１００２…ＵＬ受信部、１００３…制御情報抽出部、１００４…ＣＱＩ抽出部、１００５…ＲＲＣ抽出部、１００６…スケジューリング部、１００７…ＭＣＳ設定部、１００８…ＰＤＳＣＨ生成部、１００９…制御情報生成部、１０１０…ＲＲＣ生成部、１０１１…ＤＬ送信部、１０１２…送信アンテナ
【図１】
2015141688.tif 000003
【図２】
2015141688.tif 000004
【図３】
2015141688.tif 000005
【図４】
2015141688.tif 000006
【図５】
2015141688.tif 000007
【図６】
2015141688.tif 000008
【図７】
2015141688.tif 000009
【図８】
2015141688.tif 000010
【図９】
2015141688.tif 000011
【図１０】
2015141688.tif 000012
【手続補正書】
【提出日】平成28年8月12日(2016.8.12)
【手続補正１】
【補正対象書類名】特許請求の範囲
【補正対象項目名】全文
【補正方法】変更
【補正の内容】
【特許請求の範囲】
【請求項１】
基地局装置と通信する端末装置であって、
前記端末装置は、
前記基地局装置から、設定情報、ＰＤＣＣＨ（Physical Downlink Control CHannel）、及び、ＰＤＳＣＨ（Physical Downlink Shared CHannel）を受信するＤＬ受信部と、
前記ＰＤＳＣＨがＣ−ＲＮＴＩ（Cell Radio Network Temporary Identifier）によってスクランブルされたＣＲＣ（Cyclic Redundancy Check）を有するＰＤＣＣＨによってスケジュールされていることを検出した場合は、前記設定情報に基づいて、第１のＭＣＳ（Modulation and Coding Scheme）テーブルと第２のＭＣＳテーブルのいずれを使用するかを決定するＰＤＳＣＨ復調部と、
を備え、
前記第１のＭＣＳテーブル、及び、前記第２のＭＣＳテーブルは、それぞれ、ＭＣＳインデックス、変調方式、及び、ＴＢＳ（Transport Block Size）インデックスによって構成され、
前記第１のＭＣＳテーブルに含まれる前記変調方式は、ＱＰＳＫ、１６ＱＡＭ、及び、６４ＱＡＭに関する情報によって構成され、
前記第２のＭＣＳテーブルに含まれる前記変調方式は、ＱＰＳＫ、１６ＱＡＭ、６４ＱＡＭ、及び、２５６ＱＡＭに関する情報によって構成される、
端末装置。
【請求項２】
前記ＰＤＳＣＨ復調部は、さらに、ＳＰＳ  Ｃ−ＲＮＴＩ（Semi-Persistent Scheduling Cell Radio Network Temporary Identifier）によってスクランブルされたＣＲＣを有するＰＤＣＣＨを検出した場合は、前記端末装置において前記設定情報が設定されているか否かに関わらず、常に、前記第１のＭＣＳテーブルを使用することを決定する、
請求項１に記載の端末装置。
【請求項３】
前記端末装置は、さらに、
前記設定情報に基づいて、第１のＣＱＩ（Channel Quality Indicator）テーブルと第２のＣＱＩテーブルのいずれを使用するかを決定するＣＱＩ生成部、
を備え、
前記第１のＣＱＩテーブル、及び、前記第２のＣＱＩテーブルは、それぞれ、ＣＱＩインデックス、変調方式、及び、符号化率を含み、
前記第１のＣＱＩテーブルに含まれる前記変調方式は、ＱＰＳＫ、１６ＱＡＭ、及び、６４ＱＡＭに関する情報を含み、
前記第２のＣＱＩテーブルに含まれる前記変調方式は、ＱＰＳＫ、１６ＱＡＭ、６４ＱＡＭ、及び、２５６ＱＡＭに関する情報を含む、
請求項１又は２に記載の端末装置。
【請求項４】
前記設定情報は、ＲＲＣシグナリングを介して受信される情報であり、
前記設定情報は、前記第１のＭＣＳテーブルを適用することを示す情報、前記第２のＭＣＳテーブルを適用することを示す情報、前記第１のＣＱＩテーブルを適用することを示す情報、又は、前記第２のＣＱＩテーブルを適用することを示す情報である、
請求項１乃至３のいずれかに記載の端末装置。
【請求項５】
基地局装置と通信する端末装置によって実行される方法であって、
前記方法は、
前記基地局装置から、設定情報、ＰＤＣＣＨ（Physical Downlink Control CHannel）、及び、ＰＤＳＣＨ（Physical Downlink Shared CHannel）を受信するステップと、
前記ＰＤＳＣＨがＣ−ＲＮＴＩ（Cell Radio Network Temporary Identifier）によってスクランブルされたＣＲＣ（Cyclic Redundancy Check）を有するＰＤＣＣＨによってスケジュールされていることを検出した場合は、前記設定情報に基づいて、第１のＭＣＳ（Modulation and Coding Scheme）テーブルと第２のＭＣＳテーブルのいずれを使用するかを決定するステップと、
を含み、
前記第１のＭＣＳテーブル、及び、前記第２のＭＣＳテーブルは、それぞれ、ＭＣＳインデックス、変調方式、及び、ＴＢＳ（Transport Block Size）インデックスによって構成され、
前記第１のＭＣＳテーブルに含まれる前記変調方式は、ＱＰＳＫ、１６ＱＡＭ、及び、６４ＱＡＭに関する情報によって構成され、
前記第２のＭＣＳテーブルに含まれる前記変調方式は、ＱＰＳＫ、１６ＱＡＭ、６４ＱＡＭ、及び、２５６ＱＡＭに関する情報によって構成される、
方法。
【請求項６】
前記方法は、さらに、ＳＰＳ  Ｃ−ＲＮＴＩ（Semi-Persistent Scheduling Cell Radio Network Temporary Identifier）によってスクランブルされたＣＲＣを有するＰＤＣＣＨを検出した場合は、前記端末装置において前記設定情報が設定されているか否かに関わらず、常に、前記第１のＭＣＳテーブルを使用することを決定するステップを含む、
請求項５に記載の方法。
【請求項７】
前記方法は、さらに、前記設定情報に基づいて、第１のＣＱＩ（Channel Quality Indicator）テーブルと第２のＣＱＩテーブルのいずれを使用するかを決定するステップを含み、
前記第１のＣＱＩテーブル、及び、前記第２のＣＱＩテーブルは、それぞれ、ＣＱＩインデックス、変調方式、及び、符号化率を含み、
前記第１のＣＱＩテーブルに含まれる前記変調方式は、ＱＰＳＫ、１６ＱＡＭ、及び、６４ＱＡＭに関する情報を含み、
前記第２のＣＱＩテーブルに含まれる前記変調方式は、ＱＰＳＫ、１６ＱＡＭ、６４ＱＡＭ、及び、２５６ＱＡＭに関する情報を含む、
請求項５又は６に記載の方法。
【請求項８】
前記設定情報は、ＲＲＣシグナリングを介して受信される情報であり、
前記設定情報は、前記第１のＭＣＳテーブルを適用することを示す情報、前記第２のＭＣＳテーブルを適用することを示す情報、前記第１のＣＱＩテーブルを適用することを示す情報、又は、前記第２のＣＱＩテーブルを適用することを示す情報である、
請求項５乃至７のいずれかに記載の方法。
【請求項９】
端末装置と通信する基地局装置であって、
前記基地局装置は、
ＰＤＳＣＨ（Physical Downlink Shared CHannel）をＣ−ＲＮＴＩ（Cell Radio Network Temporary Identifier）によってスクランブルされるＣＲＣ（Cyclic Redundancy Check）を有するＰＤＣＣＨ（Physical Downlink Control CHannel）によってスケジュールする場合は、設定情報に基づいて、第１のＭＣＳ（Modulation and Coding Scheme）テーブルと第２のＭＣＳテーブルのいずれを使用するかを決定するＭＣＳ設定部と、
前記端末装置に対して、前記設定情報、前記ＰＤＣＣＨ、及び、前記ＰＤＳＣＨを送信するＤＬ送信部と、
を備え、
前記第１のＭＣＳテーブル、及び、前記第２のＭＣＳテーブルは、それぞれ、ＭＣＳインデックス、変調方式、及び、ＴＢＳ（Transport Block Size）インデックスによって構成され、
前記第１のＭＣＳテーブルに含まれる前記変調方式は、ＱＰＳＫ、１６ＱＡＭ、及び、６４ＱＡＭに関する情報によって構成され、
前記第２のＭＣＳテーブルに含まれる前記変調方式は、ＱＰＳＫ、１６ＱＡＭ、６４ＱＡＭ、及び、２５６ＱＡＭに関する情報によって構成される、
基地局装置。
【請求項１０】
前記ＭＣＳ設定部は、さらに、ＳＰＳ  Ｃ−ＲＮＴＩ（Semi-Persistent Scheduling Cell Radio Network Temporary Identifier）によってスクランブルされるＣＲＣを有するＰＤＣＣＨを送信する場合は、前記端末装置に対して前記設定情報を設定するか否かに関わらず、常に、前記第１のＭＣＳテーブルを使用することを決定する、
請求項９に記載の基地局装置。
【請求項１１】
前記基地局装置は、さらに、
前記設定情報に基づいて、第１のＣＱＩ（Channel Quality Indicator）テーブルと第２のＣＱＩテーブルのいずれを使用するかを決定するＣＱＩ抽出部、
を備え、
前記第１のＣＱＩテーブル、及び、前記第２のＣＱＩテーブルは、それぞれ、ＣＱＩインデックス、変調方式、及び、符号化率を含み、
前記第１のＣＱＩテーブルに含まれる前記変調方式は、ＱＰＳＫ、１６ＱＡＭ、及び、６４ＱＡＭに関する情報を含み、
前記第２のＣＱＩテーブルに含まれる前記変調方式は、ＱＰＳＫ、１６ＱＡＭ、６４ＱＡＭ、及び、２５６ＱＡＭに関する情報を含む、
請求項９又は１０に記載の基地局装置。
【請求項１２】
前記設定情報は、ＲＲＣシグナリングを介して送信される情報であり、
前記設定情報は、前記第１のＭＣＳテーブルを適用することを示す情報、前記第２のＭＣＳテーブルを適用することを示す情報、前記第１のＣＱＩテーブルを適用することを示す情報、又は、前記第２のＣＱＩテーブルを適用することを示す情報である、
請求項９乃至１１のいずれかに記載の基地局装置。
【請求項１３】
端末装置と通信する基地局装置によって実行される方法であって、
前記方法は、
ＰＤＳＣＨ（Physical Downlink Shared CHannel）をＣ−ＲＮＴＩ（Cell Radio Network Temporary Identifier）によってスクランブルされるＣＲＣ（Cyclic Redundancy Check）を有するＰＤＣＣＨ（Physical Downlink Control CHannel）によってスケジュールする場合は、設定情報に基づいて、第１のＭＣＳ（Modulation and Coding Scheme）テーブルと第２のＭＣＳテーブルのいずれを使用するかを決定するステップと、
前記端末装置に対して、前記設定情報、前記ＰＤＣＣＨ、及び、前記ＰＤＳＣＨを送信するステップと、
を含み、
前記第１のＭＣＳテーブル、及び、前記第２のＭＣＳテーブルは、それぞれ、ＭＣＳインデックス、変調方式、及び、ＴＢＳ（Transport Block Size）インデックスによって構成され、
前記第１のＭＣＳテーブルに含まれる前記変調方式は、ＱＰＳＫ、１６ＱＡＭ、及び、６４ＱＡＭに関する情報によって構成され、
前記第２のＭＣＳテーブルに含まれる前記変調方式は、ＱＰＳＫ、１６ＱＡＭ、６４ＱＡＭ、及び、２５６ＱＡＭに関する情報によって構成される、
方法。
【請求項１４】
前記方法は、さらに、ＳＰＳ  Ｃ−ＲＮＴＩ（Semi-Persistent Scheduling Cell Radio Network Temporary Identifier）によってスクランブルされるＣＲＣを有するＰＤＣＣＨを送信する場合は、前記端末装置に対して前記設定情報を設定するか否かに関わらず、常に、前記第１のＭＣＳテーブルを使用することを決定するステップを含む、
請求項１３に記載の方法。
【請求項１５】
前記方法は、さらに、前記設定情報に基づいて、第１のＣＱＩ（Channel Quality Indicator）テーブルと第２のＣＱＩテーブルのいずれを使用するかを決定するステップを含み、
前記第１のＣＱＩテーブル、及び、前記第２のＣＱＩテーブルは、それぞれ、ＣＱＩインデックス、変調方式、及び、符号化率を含み、
前記第１のＣＱＩテーブルに含まれる前記変調方式は、ＱＰＳＫ、１６ＱＡＭ、及び、６４ＱＡＭに関する情報を含み、
前記第２のＣＱＩテーブルに含まれる前記変調方式は、ＱＰＳＫ、１６ＱＡＭ、６４ＱＡＭ、及び、２５６ＱＡＭに関する情報を含む、
請求項１３又は１４に記載の方法。
【請求項１６】
前記設定情報は、ＲＲＣシグナリングを介して送信される情報であり、
前記設定情報は、前記第１のＭＣＳテーブルを適用することを示す情報、前記第２のＭＣＳテーブルを適用することを示す情報、前記第１のＣＱＩテーブルを適用することを示す情報、又は、前記第２のＣＱＩテーブルを適用することを示す情報である、
請求項１３乃至１５のいずれかに記載の方法。
【国際調査報告】
2015141688.tif 000013
2015141688.tif 000014
2015141688.tif 000015
2015141688.tif 000016